(57)【特許請求の範囲】
【請求項１】
力率を補正するための回路であって、該回路は、
第１の入力端子及び第２の入力端子（１４、１６）及び第１の及び第２の出力端子（３０、３２）を有するブリッジ整流器（１８）を有し、前記第１の入力端子（１４）と第２の入力端子（１６）との間に交流電圧源（１０）が配置可能であり、
制御及び負荷回路（２４）を有し、
第１及び第２のエネルギ格納装置（２０ａ；２０ｂ）を有し、該エネルギ格納装置（２０；２０ａ；２０ｂ）の第１の接続端子は前記制御及び負荷回路（２４）の接続端子（２８）に接続されており、動作中にこの接続端子（２８）において取り出すことができる信号は前記交流電圧源（１０）の出力信号よりもはるかに高い周波数を有し、
前記制御及び負荷回路（２４）に対して並列に配置された格納コンデンサ（ＣＳ）を有する、力率を補正するための回路において、
前記格納コンデンサ（ＣＳ）は前記ブリッジ整流器（１８）の前記出力端子（３０、３２）に対して並列に配置されており、
前記第１のエネルギ格納装置（２０ａ）は前記ブリッジ整流器（１８）の２つの入力端子のうちの１つ（１４：１６）に接続されており、前記第２のエネルギ格納装置（２０ｂ）は前記ブリッジ整流器（１８）のもう一つの入力端子（１６：１４）に接続されていることを特徴とする、力率を補正するための回路。
【請求項２】
前記各エネルギ格納装置（２０ａ；２０ｂ）は少なくとも１つのインダクタンス（ＬＥＳ）及び少なくとも１つのコンデンサ（ＣＥＳａ、ＣＥＳｂ）を含むことを特徴とする請求項１記載の回路。
【請求項３】
前記制御及び負荷回路（２４）の制御部分はインバータ（Ｔ１、Ｔ２）を含むことを特徴とする請求項１又は２記載の回路。
【請求項４】
前記制御及び負荷回路（２４）の前記接続端子（２８）は前記インバータの２つの電気的スイッチ（Ｔ１、Ｔ２）の接続点によって形成されていることを特徴とする請求項３記載の回路。
【請求項５】
前記第１及び第２のエネルギ格納装置（２０ａ、２０ｂ）は前記制御及び負荷回路（２４）の同一の接続端子（２８）に接続されていることを特徴とする請求項１から４のうちの１項記載の回路。
【請求項６】
前記各エネルギ格納装置（２０ａ、２０ｂ）は前記制御及び負荷回路（２４）の異なる接続端子（２８ａ、２８ｂ）に接続されていることを特徴とする請求項１から４のうちの１項記載の回路。
【請求項７】
前記制御及び負荷回路（２４）の少なくとも１つの接続端子（２８）の電圧は格納コンデンサ（ＣＳ）の電圧にクランプされていることを特徴とする請求項１から６のうちの１項記載の回路。
【請求項８】
前記各エネルギ格納装置は１つのインダクタンス（ＬＥＳ）と１つのコンデンサ（ＣＥＳａ、ＣＥＳｂ）を含み、各コンデンサ（ＣＥＳａ、ＣＥＳｂ）は、その第１の接続端子によって前記インダクタンス（ＬＥＳ）に接続され、さらにその第２の接続端子によって前記ブリッジ整流器（１８）の２つの入力端子のうちの１つ（１４：１６）に接続されており、前記インダクタンス（ＬＥＳ）と前記各コンデンサ（ＣＥＳａ、ＣＥＳｂ）との間の接続点はそれぞれダイオード（ＤＳ１ａ、ＤＳ１ｂ）を介して前記ブリッジ整流器（１８）の第１の及び第２の出力端子（３０、３２）に接続されていることを特徴とする請求項１から７のうちの１項記載の回路。
【請求項９】
前記ブリッジ整流器（１８）の第１の入力端子（１４）と第２の入力端子（１６）との間に少なくとも１つのフィルタ（１２）、とりわけローパスフィルタが交流電圧源（１０）に対して直列接続で及び/又は並列接続で配置されていることを特徴とする請求項１から８のうちの１項記載の回路。
【請求項１０】
回路はガス放電ランプの動作のためのバラストの部分であることを特徴とする請求項１から９のうちの１項記載の回路。
【発明の詳細な説明】
【０００１】
【発明の属する技術分野】
本発明は、第１の入力端子及び第２の入力端子及び第１の及び第２の出力端子を有するブリッジ整流器を有し、第１の入力端子と第２の入力端子との間に交流電圧源が配置可能であり、制御及び負荷回路を有し、少なくとも１つのエネルギ格納装置を有し、このエネルギ格納装置の第１の接続端子は制御及び負荷回路の接続端子に接続されており、動作中にこの接続端子において取り出すことができる信号は交流電圧源の出力信号よりもはるかに高い周波数を有し、格納コンデンサを有する、力率を補正するための回路に関する。
【０００２】
【従来の技術】
力率を補正するための回路は名称「チャージポンプ」又は「ポンプ回路」として周知である。この回路は、例えば、複数の電気供給機関（会社）が許容可能な電源電流高調波を定義したＩＥＣ標準１０００-３-２を満足させるために使用される。従って、電流供給電源から高周波エネルギを取り出すことは望ましくない。電源から取り出される電源電流は最適な場合には電源電圧に比例する。この電源電流と電源電圧との間の比例関係は、所定の線路設計仕様毎に最大のエネルギ伝送を可能にする。電源電圧と電源電流とが比例しない場合に発生する無効電流は電力損失の原因となる。この電力損失は線路に付加的に負荷をかけ、従って他の負荷の妨害をもたらす。
【０００３】
とりわけこのような力率の補正のための回路はガス放電ランプの動作のためのバラストに使用される。
【０００４】
本発明は、例えばＥＰ-Ａ-０２５３２２４、ＤＥ-Ａ-３８４１２２７又はＵＳ-Ａ-５４８８２６９から公知であるような従来技術から出発する。これらの刊行物による従来技術は図１に基本回路として図示されている。この回路には交流電圧源１０、一般には電源電圧が整流器１８の入力側１４及び１６に接続されており、この整流器１８は４つのダイオードＤＧ１、ＤＧ２、ＤＧ３及びＤＧ４を含む。
【０００５】
まず最初に実線で示された回路装置を参照する：エネルギ格納装置２０は一方で２つのダイオードＤＰ１、ＤＰ２の接続点に接続され、他方で接続端子２８において高周波電圧源２２、すなわち交流電圧源に接続されている。この交流電圧源は動作中には交流電圧源１０よりもはるかに高い周波数の信号を供給する。この交流電圧源２２は二重矢印２６によって表されているように制御及び負荷回路２４の部分である。この制御及び負荷回路２４に対して並列に格納コンデンサＣＳが配置され、この格納コンデンサＣＳには交流電圧源１０から取り出されるエネルギがこの制御及び負荷回路２４に給電するために格納される。
【０００６】
別の実施形態が図１において破線で示されている。この別の実施形態はエネルギ格納装置２０′を含み、このエネルギ格納装置２０′は一方で高周波電圧源２２に接続され、他方で２つのダイオードＤＰ１′、ＤＰ２′の接続点に接続されている。ダイオードＤＰ２、ＤＰ２′はエネルギ格納装置２０乃至は２０′への制御及び負荷回路２４のリアクションを阻止するために使用される。ダイオードＤＰ１、ＤＰ１′は、整流器１８のダイオードＤＧ１からＤＧ４までに対していわゆる「高速ダイオード」として構成されているが、交流電圧源１０へのエネルギのポンピングを阻止するために使用される。
【０００７】
このようなポンプ回路が例えば大量生産されるガス放電ランプの動作のためのバラストにおいて使用されることを考慮すると、コスト面が重要な意味を持つ。
【０００８】
【発明が解決しようとする課題】
本発明の課題は、力率を補正するための回路、すなわち、従来技術において既に解決されているようなエネルギ格納装置への制御及び負荷回路のリアクションを阻止しならびに給電電源へのポンピングを阻止する、従来技術から周知のポンプ回路に比べてコスト的に有利に実現できるポンプ回路を提供することである。
【０００９】
【課題を解決するための手段】
上記課題は、冒頭に挙げたタイプの回路において、格納コンデンサはブリッジ整流器の出力端子に対して並列に配置されており、少なくとも１つのエネルギ格納装置の第２の接続端子はブリッジ整流器の２つの入力端子のうちの１つと接続されていることによって解決される。
【００１０】
【発明の実施の形態】
この回路は、従来技術においてＤＰ１及びＤＰ２乃至はＤＰ１′及びＤＰ２′によって示されたダイオードを省略することができるという利点を有する。これらのダイオードを省略することによって、ダイオードのための材料費だけでなく、相応の取り付けコストも省くことができる。
【００１１】
本発明の解決法は、ブリッジ整流器の既存のダイオードＤＧ１からＤＧ４を二重に使用すること、つまり、まず最初にこれらのダイオードの周知のブリッジ整流器における機能において使用し、次いで付加的にポンピング過程において使用するという技術思想に基づく。
【００１２】
エネルギ格納装置は、少なくとも１つのインダクタンス及び/又は少なくとも１つのコンデンサを含むことができる。制御及び負荷回路の制御部分はインバータを含むことができる。この制御及び負荷回路の上記の接続端子はこのインバータの２つの電気的スイッチの接続点によって形成される。この上記の接続端子は動作中に交流電圧源よりもはるかに高い周波数の信号を供給する。
【００１３】
特に有利な実施形態では、この回路は、ブリッジ整流器の２つの入力端子のうちの１つに接続された第１のエネルギ格納装置を有し、さらにこのブリッジ整流器のもう一つの入力端子に接続された第２のエネルギ格納装置を有する。この場合、これら複数のエネルギ格納装置は制御及び負荷回路の同一の接続端子に接続されうるが、各エネルギ格納装置は制御及び負荷回路の他の接続端子に接続されうる。
【００１４】
とりわけ有利な実施形態では、制御及び負荷回路の少なくとも１つの接続端子の電圧は格納コンデンサの電圧にクランプされている。
【００１５】
同一の発明者によるＤＥ１９９１４５０５.９に開示された原理を本発明に適用した他の有利な実施形態では、エネルギ格納装置はインダクタンス及び少なくとも１つのコンデンサを含み、各コンデンサは、その第１の接続端子によってインダクタンスに接続され、さらにその第２の接続端子によってブリッジ整流器の２つの入力端子のうちの１つに接続されており、インダクタンスと各コンデンサとの間の接続点はそれぞれダイオードを介してブリッジ整流器の第１の及び第２の出力端子に接続されている。
【００１６】
有利には、ブリッジ整流器の第１の入力端子と第２の入力端子との間に少なくとも１つのフィルタ、とりわけローパスフィルタが交流電圧源に対して直列接続で及び/又は並列接続で配置されている。
【００１７】
他の有利な実施形態は従属請求項に記載されている。
【００１８】
【実施例】
次に図面に基づいて本発明の実施例を詳しく記述する。
【００１９】
図２は本発明のポンプ回路の基本回路を示す。この場合、図１と同一の構成部材乃至はモジュールは同一の参照符号を付けてある。まず最初に実線で示された実施例を考察する。図１のポンプ回路とは対照的にエネルギ格納装置２０の第２の接続端子がブリッジ整流器１８の入力端子１６に接続されている。格納コンデンサＣＳはブリッジ整流器１８の出力端子３０、３２に対して並列に接続されている。実線で示された回路に対して付加的に又は代替的にインプリメントされうる破線で示された回路の場合、エネルギ格納装置２０′はブリッジ整流器１８の他方の入力端子１４に接続されている。それぞれこのブリッジ整流器に接続されていないエネルギ格納装置２０、２０′の接続端子は、図示されているように、同一の高周波電圧源２２に接続される。しかし、これらの接続端子は、（図示せず）それぞれ他の高周波電圧源に接続してもよい。高周波電圧源の概念は、このポンプ回路の分野では、回路において、交流電圧源１０の周波数よりもはるかに高い周波数を有する信号が取り出される接続点として設けられる。
【００２０】
以下の考察において理解しやすいように以下の仮定を挙げておく：
・実線による変形実施例しか考察しない。
【００２１】
・交流電圧源１０により供給される電圧ＵNの周波数と交流電圧源２２により供給される電圧ＵHFの周波数の大きな差にのゆえに、簡略化のために、ＵNは一定であることを前提とする。ＵNの変化は以下に挙げるケースの差、ＵN＜０乃至はＵN＞０、によって考慮される。よって、以下の考察はＵHFの周期を調べる。ＵHFがちょうど降下し始めることをそれぞれのフェーズ１の出発点として仮定する。
【００２２】
・エネルギ格納装置２０はコンデンサとして実現される。
【００２３】
・エネルギ格納装置２０つまりコンデンサにおいて降下する電圧はＵESとする。
【００２４】
・格納コンデンサＣＳにおいて降下する電圧はＵZとする。
【００２５】
まず最初にケースＡとしてＵN＜０を仮定する：
フェーズ１：ＵES＋ＵHF＜−ＵN
ここでは次の回路網、交流電圧源１０、コンデンサ２０、高周波電圧源２２、ダイオードＤＧ３において流れる電流が生じる。ＵESは直接的にこの回路の差電圧となるので、ＵHFが小さくなると、コンデンサ２０は充電される。この場合コンデンサ２０へとＵN及びＵHFのエネルギが流れる。この充電過程は、ＵHFがその最小値に降下するまで継続する。ＵHFの最小値において、ＵN＝ＵESが成り立つ。この最小値を通過した後でＵHFが上昇する場合、フェーズ１の条件はもはや満たされない。つまり、ダイオードＤＧ３は阻止される。
【００２６】
フェーズ２：ＵZ＞ＵES＋ＵHF＞−ＵN
発生する電圧がこの条件を満たすならば、全てのダイオードが阻止される。すなわち、電流フローは発生しない。電圧ＵHFの更なる上昇は次のフェーズ３に導く。
【００２７】
フェーズ３：ＵZ＜ＵES＋ＵHF
これはダイオードＤＧ２が導通することをもたらす。すなわち、回路網、−ＵES、ＤＧ２、ＵZ、−ＵHFに電流が流れる。これによって、コンデンサ２０は放電する。この場合エネルギはコンデンサ２０及びＵHFから格納コンデンサＣＳに流れる（ＣＳはこの考察では無限に大きいと仮定する）。
【００２８】
ＵHFはさらに最大値まで上昇する。続いてこの回路はフェーズ４に入る。
【００２９】
フェーズ４：ＵZ＞ＵES＋ＵHF＞−ＵN
ＵHFの最大値を越えると、ダイオードＤＧ２が再び阻止され始める。これによりこの状態において全てのダイオードが阻止され、電流フローは発生しない。
【００３０】
ＵHFは次いで引き続き上記のフェーズ１に入るまで降下する。
【００３１】
次にケースＢとしてＵN＞０を仮定する：
フェーズ１：ＵES＋ＵHF＜０
電流は回路網ＵES、ＵHF、ＤＧ４を流れる。というのも、このケースでは上記のケースＡとは反対に、ＵNの極性のためにダイオードＤＧ４がまず最初に導通し始めるからである。これにより、高周波電圧源ＵHFによってコンデンサ２０は充電される。すなわち、エネルギはＵHFからコンデンサ２０に流れる。
【００３２】
ＵHFさらにその最小値まで降下する。続いてこの回路はフェーズ２に入る。
【００３３】
フェーズ２：ＵZ−ＵN＞ＵES＋ＵHF＞０
この状態では全てのダイオードが阻止され、電流フローは生じない。
【００３４】
続いて、ＵHFが上昇する。回路はフェーズ３に入る。
【００３５】
フェーズ３：ＵZ−ＵN＜ＵES＋ＵHF
ＤＧ１及びＤＧ２ののアノードにおける電位関係によって、ダイオードＤＧ１は比較的高速に導通する。回路網、−ＵES、−ＵN、ＤＧ１、ＵZ、−ＵHFにおいて電流フローが生じる。これにより、コンデンサ２０が放電される：ＵZは大きな格納コンデンサＣＳのためにほとんど変化しないので、ＵESはＵHFの上昇により降下する。この場合、エネルギはＵN、ＵHF、ＵESからＵZに流れる。
【００３６】
次いでＵHFは最大値まで上昇する。この最大値を通過した後で、この回路はフェーズ４に入る。
【００３７】
フェーズ４：ＵZ−ＵN＞ＵES＋ＵHF＞０
この状態では全てのダイオードが阻止され、電流フローは生じない。
【００３８】
ＵHFは続いてさらにこの回路が上記フェーズ１に入るまで再び降下する。この場合、ＵHFが電圧ＵESと釣り合う時に再びダイオードＤＧ４が導通し始める。
【００３９】
当業者にとっては、エネルギ格納装置２０′がその第２の接続端子によってブリッジ整流器１８の入力端子１４に接続されている図２に破線で示された変形実施例が相応するやり方で作動することは明らかである。
【００４０】
次に図２に図示された基本回路に対する複数の実施例を示す。これらの実施例は全体としてガス放電ランプのバラストにおいて本発明の回路原理を適用することを目指している。当業者には明らかであるように、本発明の回路原理は多数の他の分野にも適用できる。この結果、以下の実施例を限定されたものと見なしてはならない。
【００４１】
図３は、制御及び負荷回路２４が２つのトランジスタＴ１、Ｔ２を有するインバータ及び２つのトランジスタに対してアンチパラレルに接続されたフリーホイーリング・ダイオードＤＦ１、ＤＦ２を含む実施例を示す。これらの２つのトランジスタＴ１、Ｔ２の制御はほんの概略的にしか示されていない。インダクタンスＬは一方でランプ回路ＬＫに接続され、他方で２つのトランジスタＴ１、Ｔ２と２つのフリーホイーリング・ダイオードＤＦ１、ＤＦ２との間の接続点に接続されている。このランプ回路ＬＫの他方の接続端子は２つのカップリング・コンデンサＣＫ１、ＣＫ２の接続点に接続されている。これら２つのカップリング・コンデンサＣＫ１、ＣＫ２は格納コンデンサＣＳに対して並列に接続されている。エネルギ格納装置２０はコンデンサとして実現されている。図２の基本回路では高周波電圧源ＵHFとして図示されている交流電圧源２２は制御及び負荷回路２４の２つのトランジスタＴ１、Ｔ２の接続点２８によって形成される。正反対の位相で動作されるこれら２つの電気的スイッチＴ１、Ｔ２の動作周波数は、交流電圧源１０の周波数に対して高い周波数、例えば５０Ｈｚに対して５０ｋＨｚである。すなわち、これら２つのトランジスタは交互にそれぞれほぼ１０μsecでターンオンされる。接続端子２８に接続されていないコンデンサ２０の接続端子はブリッジ整流器１８の入力端子１６に接続されている。
【００４２】
図４の実施例では、コンデンサ２０は一方でブリッジ整流器１８の入力端子１６に接続され、他方で接続端子２８に接続されている。この接続端子２８はこの実施例ではインダクタンスＬとランプ回路ＬＫとの間に選択された。というのも、制御及び負荷回路２４のこの箇所においてエネルギをポンピングするための高周波電圧が取り出されるからである。
【００４３】
図５はそれぞれ例えばコンデンサとして実現される２つのエネルギ格納装置２０ａ、２０ｂを有する実施例を示す。一方のエネルギ格納装置２０ａはブリッジ整流器１８の一方の入力端子１６に接続され、他方のエネルギ格納装置２０ｂはブリッジ整流器１８の他方の入力端子１４に接続されている。これら２つのエネルギ格納装置はそれぞれの他方の接続端子によって高周波電圧源として作用する接続端子２８に接続されている。
【００４４】
図６は図５に図示された実施例の変形実施例を示し、２つのエネルギ格納装置２０ａ、２０ｂは制御及び負荷回路２４の他の高周波電圧源に接続されている。
【００４５】
図７はさらに別の修正実施例を示す。この場合、第１のエネルギ格納装置２０ａは高周波電圧源として作用する接続端子２８ａに、第２のエネルギ格納装置２０ｂは高周波電圧源として作用する接続端子２８ｂに接続されている。これらのエネルギ格納装置２０ａ、２０ｂのそれぞれ他方の接続端子はブリッジ整流器１８の入力端子１６乃至は入力端子１４に接続されている。
【００４６】
図８は図４の実施例に比べて２つのダイオードＤＬ１、ＤＬ２だけが拡張された実施例を示す。これによって、接続端子２８における高周波電圧は格納コンデンサＣＳにクランプされることが実現される。これにより、負荷からのリアクションが阻止され、高周波振幅に関して一定の電圧が接続端子２８において得られる。
【００４７】
図９に図示されている図８の実施例の変形実施例も２つのエネルギ格納装置２０ａ、２０ｂを有する。これら２つのエネルギ格納装置２０ａ、２０ｂはそれぞれ一方の接続端子によって接続端子２８の高周波電圧源に接続され、さらにそれぞれ他方の接続端子によって一方でブリッジ整流器の入力端子１６に他方でブリッジ整流器の入力端子１４に接続されている。
【００４８】
図１０はエネルギ格納装置２０がコンデンサＣＥＳ及びコイルＬＥＳから成る直列回路を含んでいる実施例を示す。
【００４９】
図１１は図１０に図示された実施例に比べてエネルギ格納装置２０のコンデンサＣＥＳとコイルＬＥＳとの間の接続点に２つのダイオードＤＳ１ａ、ＤＳ１ｂが接続されている実施例を示す。これら２つのダイオードＤＳ１ａ、ＤＳ１ｂはそれぞれその第２の接続端子によってブリッジ整流器の出力端子３０、３２に接続されている。これは、同一の発明者によるＤＥ１９９１４５０５.９に記述された発明と本発明の技術思想を組合せたものである。ＤＥ１９９１４５０５.９の構成はこれにより本発明の開示に含まれる。
【００５０】
ＤＥ１９９１４５０５.９の実施形態に対して本発明ではエネルギ格納装置は直接ブリッジ整流器１８の入力端子のうちの１つに接続されているので、この場合コイルＬＥＳを通過する電流フロー方向の変化によって２つのダイオードＤＳ１ａ、ＤＳ１ｂが必要となる。ＤＥ１９９１４５０５.９の図３に図示されているように、本発明の技術思想は２つのエネルギ格納装置を使用する場合に拡張できる。
【００５１】
図１２では、エネルギ格納装置はそれぞれコイルＬＥＳに接続されている２つのコンデンサＣＥＳａ、ＣＥＳｂを含み、このコイルＬＥＳはその他方の接続端子によって高周波電圧源として作用する接続端子２８に接続されている。一方のコンデンサＣＥＳａはそのコイルＬＥＳの反対側の接続端子によってブリッジ整流器１８の入力端子１６に接続され、他方のコンデンサＣＥＳａｂはそのコイルＬＥＳの反対側の接続端子によってブリッジ整流器１８の入力端子１４に接続されている。これら２つのコンデンサＣＥＳａ、ＣＥＳｂとコイルＬＥＳとの接続点は２つのダイオードＤＳ１ａ、ＤＳ１ｂを介してブリッジ整流器１８の出力端子３０、３２に接続されている。
【００５２】
図３から図１２までにおいては、交流電圧源１０はそれぞれフィルタ１２と直列に接続されている。このフィルタ１２は、一方で交流電圧源１０から高周波エネルギが取り出されることを阻止し、さらに他方でこの交流電圧源に高周波エネルギが給電されることを阻止することを任務としている。簡単な実施例では、このフィルタは例えばインダクタとして実現できる。この代わりに又は付加的にフィルタを交流電圧源１０に対して並列にも配置でき、簡単な実現の場合にはコンデンサの使用が提案される。このようなフィルタは本発明のポンプ回路のポンプ原理に影響を与えない。
【００５３】
当業者にとっては、個々の実施例の特徴的な構成を組合せてさらに別の実施形態にすることができることは明らかである。とりわけ有利には少なくともダイオードＤＧ１及びＤＧ２をいわゆる「高速ダイオード」として構成する。
【図面の簡単な説明】
【図１】ポンプ回路原理を説明するための従来技術の回路の回路図である。
【図２】本発明のポンプ回路原理を説明するための基本回路の回路図である。
【図３】エネルギ格納装置を有する本発明の回路の第１の実施例の回路図である。
【図４】図３の実施例に比べて、制御及び負荷回路の接続端子に関して修正された実施例の回路図である。
【図５】２つのエネルギ格納装置を有する、図３に関して修正された実施例の回路図である。
【図６】図５に比べて、制御及び負荷回路の接続端子に関して修正された実施例の回路図である。
【図７】それぞれ制御及び負荷回路の異なる箇所乃至はブリッジ整流器の異なる入力側に接続された２つのエネルギ格納装置を有する実施例の回路図である。
【図８】制御及び負荷回路の接続端子を格納コンデンサの電圧にクランプするための２つの付加的なダイオードを有する実施例の回路図である。
【図９】図８の実施例を修正した２つのエネルギ格納装置を有する実施例の回路図である。
【図１０】エネルギ格納装置がコンデンサ及びコイルを含む、本発明の実施例の回路図である。
【図１１】エネルギ格納装置がインダクタンス及びコンデンサを含み、しかし２つの付加的なダイオードを有する、実施例の回路図である。
【図１２】付加的なコンデンサがブリッジ整流器の他の入力側に接続されている、図１１に比べて、第２のコンデンサが付加された実施例の回路図である。
【符号の説明】
１０  交流電圧源
１４、１６  入力端子
１８  ブリッジ整流器
２０  エネルギ格納装置
２２  高周波電圧源
２４  制御及び負荷回路
２６  二重矢印
３０、３２  出力端子
ＤＰ  ダイオード
ＣＳ  格納コンデンサ
ＤＧ  ダイオード
Ｌ  インダクタンス
ＬＫ  ランプ回路
ＬＥＳ  コイル
ＣＥＳ  コンデンサ
Ｔ  トランジスタ
ＤＦ  フリーホイーリング・ダイオード
【図１】
0004567144.tif 000002
【図２】
0004567144.tif 000003
【図３】
0004567144.tif 000004
【図４】
0004567144.tif 000005
【図５】
0004567144.tif 000006
【図６】
0004567144.tif 000007
【図７】
0004567144.tif 000008
【図８】
0004567144.tif 000009
【図９】
0004567144.tif 000010
【図１０】
0004567144.tif 000011
【図１１】
0004567144.tif 000012
【図１２】
0004567144.tif 000013